(57)【特許請求の範囲】
【請求項１】
弾頭部と、
該弾頭部に連結されるとともに、それより後方の周面の少なくとも一部を形成し、２以上の部材から構成された展開部とを備え、
該展開部の少なくとも前記弾頭部との連結部分は、銃砲からの射出時に、復元力により該展開部の各部材を外方向に展開させるように構成されており、
前記連結部分は、形状記憶合金から構成されており、
該形状記憶合金は、炸薬の炸裂時に生じる熱により、展開部の各部材を外方向に展開可能な元の形状に復元するように構成されている
ことを特徴とする弾丸。
【請求項２】
前記展開部は、
それぞれの側面を互いに分離可能な状態で繋ぎ合わせることにより、前記弾頭部より後方の周面を形成する２以上の羽根部材と、
各羽根部材を前記弾頭部にそれぞれ連結させる連結部材とを備え、
前記連結部材は、前記連結部分として機能する
ことを特徴とする請求項１記載の弾丸。
【請求項３】
前記展開部は、前記弾頭部に一体的に連結されるとともに、それぞれの側面を互いに分離可能な状態で繋ぎ合わせることにより、前記弾頭部より後方の周面を形成する２以上の羽根部材を備え、
前記羽根部材は、銃砲からの射出時に、復元力により外方向に展開するように構成されている
ことを特徴とする請求項１記載の弾丸。
【請求項４】
前記羽根部材は、その中途部において少なくとも二つ折りされるとともに、該羽根部材の折り畳まれた部分が、銃砲からの射出時に、復元力により展開し、折り畳みが解消されるように構成されている
ことを特徴とする請求項２又は３記載の弾丸。
【請求項５】
前記折り畳まれた部分は、形状記憶合金から構成されており、
該形状記憶合金は、炸薬の炸裂時に生じる熱により展開し、折り畳みが解消されるように構成されている
ことを特徴とする請求項４記載の弾丸。
【請求項６】
前記折り畳まれた部分は、板ばね状の復元部材から構成されており、
該復元部材は、銃砲からの射出時に銃砲又は薬莢から解放されることにより展開し、折り畳みが解消されるように構成されている
ことを特徴とする請求項４記載の弾丸。
【請求項７】
前記弾丸は、銃に使用される銃弾である
ことを特徴とする請求項１乃至６いずれか１項記載の弾丸。
【請求項８】
炸薬を収容する薬莢を更に備え、
前記展開部は、前記弾頭部より後方の周面の少なくとも一部を形成した状態において、前記薬莢に保持されている
ことを特徴とする請求項７項記載の弾丸。
【請求項９】
前記弾丸は、砲に使用される砲弾である
ことを特徴とする請求項１乃至６いずれか１項記載の弾丸。
【発明の詳細な説明】
【技術分野】
【０００１】
本発明は、例えば、小口径銃、猟銃などの銃や、ミサイル等に用いられる展開可能な弾丸に関する。
【背景技術】
【０００２】
従来、弾頭部と、弾頭部にワイヤを介して接続された分離体とからなる展開式の弾丸が知られている（特許文献１及び２参照）。この特許文献１及び２の弾丸は、発射時に与えられた遠心力によって、分離体を弾頭部から分離させて放射状に展開させることにより、標的物への命中率を向上させたものである。
【先行技術文献】
【特許文献】
【０００３】
【特許文献１】特許第１４９９７２号公報
【特許文献２】特開昭４８−２７９９号公報
【発明の概要】
【発明が解決しようとする課題】
【０００４】
しかしながら、特許文献１及び２の弾丸は、構造が複雑であり、また、この構造は、弾頭部にワイヤ及び分離体などの特別な機構を収容させるための空間が必要となるため、例えば小口径銃などに使用される小径の弾丸には、採用することができないという問題がある。
【０００５】
そこで、本発明は、弾丸の小径化が可能で、簡易な構造からなる展開式の弾丸を提供することを目的とする。
【課題を解決するための手段】
【０００６】
以上の目的を達成するため、本発明に係る弾丸は、弾頭部と、該弾頭部に連結されるとともに、それより後方の周面の少なくとも一部を形成し、２以上の部材から構成された展開部とを備え、該展開部の少なくとも前記弾頭部との連結部分は、銃砲からの射出時に、復元力により該展開部の各部材を外方向に展開させるように構成されていることを特徴とする。
【０００７】
本発明に係る弾丸において、前記連結部分は、形状記憶合金から構成されており、該形状記憶合金は、炸薬の炸裂時に生じる熱により、展開部の各部材を外方向に展開可能な元の形状に復元するように構成されているとしても良いし、板ばね状の復元部材から構成されており、該復元部材は、銃砲からの射出時に銃砲又は薬莢から解放されることにより、展開部の各部材を外方向に展開可能な元の形状に復元するように構成されているとしても良い。
【０００８】
このように、本発明に係る弾丸は、展開部の少なくとも弾頭部との連結部分が、銃砲からの射出時に、復元力により展開部の各部材を外方向に展開させるように構成されていることにより、ワイヤや分離体などを用いることなく弾丸を展開させることができるため、弾丸の小径化が可能であり、また、簡易な構造により弾丸を展開させることができる。
【０００９】
また、本発明に係る弾丸において、前記展開部は、それぞれの側面を互いに分離可能な状態で繋ぎ合わせることにより、前記弾頭部より後方の周面を形成する２以上の羽根部材と、各羽根部材を前記弾頭部にそれぞれ連結させる連結部材とを備え、前記連結部材は、前記連結部分として機能するとしても良い。このように、展開部のうち、連結部材のみを形状記憶合金により形成することにより、製造コストを抑えることができる。
【００１０】
また、本発明に係る弾丸において、前記展開部は、前記弾頭部に一体的に連結されるとともに、それぞれの側面を互いに分離可能な状態で繋ぎ合わせることにより、前記弾頭部より後方の周面を形成する２以上の羽根部材を備え、前記羽根部材は、銃砲からの射出時に、復元力により外方向に展開するように構成されているとしても良い。このように、羽根部材全体を形状記憶合金により形成することにより、弾丸を構成する部材を減らすことができるため、構造をより簡易化することができる。
【００１１】
さらに、本発明に係る弾丸において、前記羽根部材は、折り畳まれるとともに、該羽根部材の折り畳まれた部分が、銃砲からの射出時に、復元力により展開し、折り畳みが解消されるように構成されているとしても良い。ここで、前記折り畳まれた部分は、形状記憶合金から構成されており、該形状記憶合金は、炸薬の炸裂時に生じる熱により展開し、折り畳みが解消されるように構成されているとしても良いし、板ばね状の復元部材から構成されており、該復元部材は、銃砲からの射出時に銃砲又は薬莢から解放されることにより展開し、折り畳みが解消されるように構成されているとしても良い。このように、羽根部材が１回以上折り畳まれるとともに、折り畳まれた部分が銃砲からの射出時に復元力により展開し、折り畳みが解消されるように構成されていることにより、展開される羽根部材の長さを長くして展開部の展開半径を大きくすることができるため、標的物への命中率をより向上させることができる。
【００１２】
またさらに、本発明に係る弾丸において、前記弾丸は、銃に使用される銃弾であるとしても良く、この場合、炸薬を収容する薬莢を更に備え、前記展開部は、前記弾頭部より後方の周面の少なくとも一部を形成した状態において、前記薬莢に保持されていることが好ましい。また、本発明に係る弾丸において、前記弾丸は、砲に使用される砲弾であるとしても良い。
【発明の効果】
【００１３】
以上のように、本発明に係る弾丸によれば、弾丸の小径化が可能で、簡易な構造からなる展開式の弾丸を提供することができる。
【図面の簡単な説明】
【００１４】
【図１】本発明の第１実施形態に係る弾丸を示す側面図である。
【図２】図１のＡ−Ａ´線に沿った断面図である。
【図３】第１実施形態に係る弾丸の動作を示す概略図である。
【図４】本発明の第２実施形態に係る弾丸を示す断面図である。
【図５】第２実施形態に係る弾丸の動作を示す概略図である。
【図６】本発明の第３実施形態に係る弾丸を示す断面図である。
【図７】第３実施形態に係る弾丸の動作を示す概略図である。
【発明を実施するための形態】
【００１５】
次に、本発明の第１実施形態に係る弾丸について、図面に基づいて説明する。第１実施形態に係る弾丸１は、銃に使用される銃弾であり、図１及び図２に示すように、弾頭部１０と、弾頭部１０の後方に連結された展開部２０と、展開部２０を保持する薬莢３０とを備えている。
【００１６】
弾頭部１０は、例えば硬質ゴムなどからなり、円錐台形状に形成されている。この弾頭部１０の底面側（図２中、右側）には、円錐台形状の凹部１２が形成されている。
【００１７】
展開部２０は、弾頭部１０より後方の周面を形成する４つの羽根部材２２と、羽根部材２２を弾頭部１０にそれぞれ連結させる４つの連結部材２４とを備えている。
【００１８】
羽根部材２２は、形状記憶合金などの任意の素材からなり、各羽根部材２２を収束させてそれぞれの側面を互いに分離可能な状態で繋ぎ合わせることにより、弾頭部１０より後方の周面を円筒状に形成するよう構成されている。この羽根部材２２は、弾頭部１０の外周面と一体として円滑な周面を形成するように、その先端部２２ａが弾頭部１０の底面の外周に沿った形状を有すると共に、その先端部２２ａが弾頭部１０の底面と当接して設けられている。また、羽根部材２２は、その先端部２２ａから後方側に向けて広がるテーパ状の前側部分２２ｂと、前側部分２２ｂの後端から後方側に向かって真っ直ぐ伸びる後側部分２２ｃが形成されている。この前側部分２２ｂと後側部分２２ｃの境界には、前側部分２２ｂの後端の外径が薬莢３０の内径よりも大きく形成され、後側部分２２ｃの外径が薬莢３０の内径よりも小さく形成されるように、段差２２ｅが形成されている。
【００１９】
連結部材２４は、湾曲した帯状の形状記憶合金からなり、先端が弾頭部１０の凹部１２に固着されると共に、基端が羽根部材２２の先端２２ａ近傍の内周面に固着されている。この連結部材２４は、炸薬３２の炸裂時に生じる熱によって、羽根部材２２を外方向に展開させるように構成されている。すなわち、連結部材２４は、羽根部材２２を外方向に展開可能な程度に湾曲した元の形状から、羽根部材２２を収束可能な形状に変形されている。これにより、炸薬３２の炸裂時に生じる熱によって元の形状に復元し、羽根部材２２を外方向に展開させることができる。ここで、連結部材２４の元の形状は、外方向に展開された羽根部材２２が、弾丸１の飛行方向と略垂直になる程度に設定されていることが好ましい。
【００２０】
薬莢３０は、内径が同一の有底円筒状に形成され、収束された羽根部材２２の後側部分２２ｃを収納可能な弾頭収納部３０ａと、弾頭収納部３０ａよりも底部側（図２中、右側）に設けられ、炸薬３２を充填可能な炸薬収納部３０ｂを備えている。この弾頭収納部３０ａは、薬莢３０の開口側の縁が羽根部材２２の段差２２ｅと当接した状態において、羽根部材２２の後側部分２２ｃを収納できる程度の長さを有している。
【００２１】
第１実施形態１に係る弾丸１の飛距離及び標的物との衝突時の衝撃の大きさ等は、用途に応じて、羽根部材２２の先端２２ａから後端２２ｄまでの長さ、すなわち、展開部２０の展開径の長さと、炸薬３２の量とを調整することによって、設定することができる。
【００２２】
第１実施形態に係る弾丸１を射出させる銃砲の銃身２は、ライフルの銃身のように内側に螺旋状の溝が形成されており、弾丸１を一方向の回転を与えながら射出できるよう構成されている。
【００２３】
次に、第１実施形態に係る弾丸１の動作を図３（ａ）乃至（ｃ）に基づいて説明する。先ず、図３（ａ）に示すように、薬莢３０内に充填されている炸薬３２を炸裂させて、銃身２から弾丸１を射出させる。この際、弾頭部１０及び展開部２０と、薬莢３０とが分離され、弾頭部１０及び展開部２０のみが目標に向かって飛行する。また、銃身２の内側に形成された螺旋状の溝によって、弾頭部１０及び展開部２０は、一方向に回転が与えられる。弾頭部１０及び展開部２０が射出されると、図３（ｂ）に示すように、炸薬３２の炸裂時に生じた熱により、連結部材２４が元の形状に復元し始め、これに伴い、羽根部材２２が徐々に展開される。この羽根部材２２の展開は、連結部材２４の復元力及び回転による遠心力により行なわれる。そして、最終的には、図３（ｃ）に示すように、連結部材２４が元の形状に完全に復元し、羽根部材２２が完全に展開される。この際、弾頭部１０及び展開部２０は、回転しているため、展開された羽根部材２２によって円状の面が形成される。その後、弾頭部１０及び展開部２０は、この展開状態を維持したまま標的物まで飛行し、標的物に衝突する。
【００２４】
このように、第１実施形態に係る弾丸１は、形状記憶合金により形成された連結部材２４によって、羽根部材２２を展開させることにより、展開部２０を展開させるための特別な機構等が不要となるため、小径の弾丸とすることができ、また、構造を簡易にすることができる。
【００２５】
また、第１実施形態に係る弾丸１は、展開部２０のうち、連結部材２４のみを形状記憶合金により形成することにより、展開部２０全体を形状記憶合金により形成する場合と比較して、製造コストを抑えることができる。
【００２６】
第１実施形態に係る弾丸１において、弾頭部１０は、硬質ゴムなどからなり、円錐台形状に形成されているとしたが、これに限定されず、合金などのいかなる素材から形成されても良いし、円錐形状などのいかなる形状に形成されても良い。また、第１実施形態に係る弾丸１において、弾頭部１０は、円錐台形状の凹部１２が形成されているとしたが、これに限定されず、凹部は、形成されなくても良い。
【００２７】
また、第１実施形態に係る弾丸１において、展開部２０は、４つの羽根部材２２と、４つの連結部材２４とを備えるとしたが、これに限定されず、羽根部材２２が少なくとも２つ設けられていれば良い。
【００２８】
さらに、第１実施形態に係る弾丸１において、羽根部材２２は、それぞれの側面を互いに分離可能な状態で繋ぎ合わせることにより、弾頭部１０より後方の周面を円筒状に形成するよう構成されているとしたが、これに限定されず、弾頭部１０より後方の周面の少なくとも一部を形成するように構成されていれば良い。
【００２９】
次に、本発明の第２実施形態に係る弾丸１´について、図４及び図５に基づいて説明する。なお、第２実施形態に係る弾丸１´において、第１実施形態に係る弾丸１と重複する構成に関する詳細な説明は省略し、異なる構成についてのみ説明する。
【００３０】
第２実施形態に係る弾丸１´は、弾頭部１０´と展開部２０´とが形状記憶合金により一体成形されている点において、第１実施形態に係る弾丸１と相違している。すなわち、第２実施形態に係る弾丸１´は、第１実施形態に係る弾丸１における連結部材２４を備えておらず、弾頭部１０´と展開部２０´の羽根部材２２´との連結部分２４´が、炸薬３２´の炸裂時に生じる熱によって復元し、羽根部材２２´を外方向に展開するように構成されている。
【００３１】
第２実施形態に係る弾丸１´は、銃身から射出された後、図５（ａ）に示すように、炸薬３２´の炸裂時に生じた熱により、連結部分２４´が元の形状に復元し始め、これに伴い、羽根部材２２´が徐々に展開される。そして、最終的に、図５（ｂ）に示すように、連結部分２４´が元の形状に完全に復元し、羽根部材２２´が完全に展開される。その後、弾頭部１０´及び展開部２０´は、展開された羽根部材２２´によって円状の面が形成された状態で標的物まで飛行し、標的物に衝突する。
【００３２】
第２実施形態に係る弾丸１´によれば、弾頭部１０´及び展開部２０´を一体成形により連結させているため、弾丸１´を構成する部材を減らすことができ、第１実施形態に係る弾丸１よりも構造を簡易化することができる。
【００３３】
第２実施形態に係る弾丸１´において、弾頭部１０´及び展開部２０´は、形状記憶合金により一体成形されているとしたが、これに限定されず、弾頭部１０´及び展開部２０´は、一体成形されていなくても良い。この場合、例えば、硬質ゴムや合金などから形成された弾頭部と、少なくとも該弾頭部との連結（接合）部分が形状記憶合金により形成された羽根部材とを接合させることにより、弾頭部１０´及び展開部２０´を一体的に連結させることができる。
【００３４】
次に、本発明の第３実施形態に係る弾丸１´´について、図６及び図７に基づいて説明する。なお、第３実施形態に係る弾丸１´´において、第１及び第２実施形態に係る弾丸１、１´と重複する構成に関する詳細な説明は省略し、異なる構成についてのみ説明する。
【００３５】
第３実施形態に係る弾丸１´´は、第２実施形態に係る弾丸１´と同様に、弾頭部１０´と展開部２０´とが形状記憶合金により一体成形されている。一方で、第３実施形態に係る弾丸１´´は、図６に示すように、羽根部材２２´´が、周方向内側に１回折り畳まれた状態で、薬莢３０´´に収納されている点において、第２実施形態に係る弾丸１´と相違している。すなわち、第３実施形態に係る弾丸１´´は、羽根部材２２´´の長さが、第１及び第２実施形態に係る弾丸１、１´の長さよりも長く形成されている。この羽根部材２２´´の折り畳まれた部分２６は、炸薬３２´´の炸裂時に生じる熱によって復元し、羽根部材２２´´の折り畳みを解消するように構成されている。
【００３６】
第３実施形態に係る弾丸１´´は、銃身から射出された後、図７（ａ）に示すように、炸薬３２´´の炸裂時に生じた熱により、連結部分２４´´が元の形状に復元し始め、これに伴い、羽根部材２２´´が徐々に展開される。また、これと同時に、炸薬３２´´の炸裂時に生じた熱により、羽根部材２２´´の折り畳まれた部分２６が徐々に復元し、折り畳みが徐々に解消される。そして、最終的に、図７（ｂ）に示すように、連結部分２４´´及び折り畳まれた部分２６が元の形状に完全に復元し、羽根部材２２´´が完全に展開される。その後、弾頭部１０´´及び展開部２０´´は、展開された羽根部材２２´´によって円状の面が形成された状態で標的物まで飛行し、標的物に衝突する。
【００３７】
第３実施形態に係る弾丸１´´によれば、羽根部材２２´´が１回折り畳まれるとともに、折り畳まれた部分２６が形状記憶合金から構成されていることにより、展開される羽根部材２２´´の長さを長くすることができるため、標的物への命中率をより向上させることができる。
【００３８】
第３実施形態に係る弾丸１´´において、羽根部材２２´´は、周方向内側に１回折り畳まれた状態で薬莢３０´´に収納されているとしたが、これに限定されず、羽根部材２２´´は、２回以上折り畳まれても良い。また、第３実施形態に係る弾丸１´´において、弾頭部１０´と展開部２０´とが形状記憶合金により一体成形されているとしたが、これに限定されず、少なくとも連結部分２４´´及び折り畳まれた部分２６が形状記憶合金により形成されていれば良い。さらに、第３実施形態に係る弾丸１´´は、第２実施形態に係る弾丸１´と同様に、弾頭部１０´と展開部２０´とが形状記憶合金により一体成形されているとしたが、これに限定されず、連結部分２４´´は、羽根部材２２´´を弾頭部１０´´に連結させる連結部材であるとしても良い。
【００３９】
従来の特許文献１及び２の弾丸は、展開部分にワイヤなどの非固定化素材を用いているため、例えば警備用小口径銃弾などにこの構造を採用した場合には、標的物に衝突した後、弾頭部がワイヤ及び分離体を引き込みつつ標的物を貫通してしまい、殺傷能力を発揮してしまうものである。
また、従来から、鴨などの小鳥類の狩猟には、その照準の難しさから散弾など面に広がる弾種が使用されているが、狩猟後は小粒径の鉛が多数体内に食い込むなど調理時や喫食時などの障害になり、また、鉛の散布になるため、環境への影響も懸念されている。
これに対し、第１乃至第３実施形態に係る弾丸１、１´、１´´は、展開された羽根部材２２、２２´、２２´´によって円状の面が形成された状態を維持したまま標的物まで飛行し、標的物と面で衝突するため、標的物への命中率を向上または維持させると共に、標的物への貫通を防止し、殺傷能力を抑えた弾丸とすることができる。また、第１乃至第３実施形態に係る弾丸１、１´、１´´は、散弾のように運動エネルギーが小粒弾によって分散することがないため、射程を延伸させることができる。
【００４０】
本発明に係る弾丸は、上述した実施形態に限定されるものではなく、本発明の技術思想を逸脱しない範囲内において種々の改変を行なうことができる。例えば、第１乃至第３実施形態に係る弾丸１、１´、１´´の連結部材２４、連結部分２４´、２４´´は、形状記憶合金から構成されており、この形状記憶合金は、炸薬の炸裂時に生じる熱により、展開部２０、２０´、２０´´の羽根部材２２、２２´、２２´´を外方向に展開可能な元の形状に復元するように構成されているとしたが、これに限定されず、弾丸の連結部材又は連結部分は、銃砲の銃身２からの射出時に、復元力により展開部の羽根部材を外方向に展開させるように構成されていれば良く、例えば、弾丸の連結部材又は連結部分が、板ばね状の復元部材から構成され、この復元部材が、銃砲からの射出時に銃砲又は薬莢から解放されることにより、展開部の羽根部材を外方向に展開可能な元の形状に復元するように構成されているとしても良い。
すなわち、板ばね状の復元部材は、羽根部材を外方向に展開可能な程度に湾曲した元の形状から、羽根部材を収束可能な形状に弾性変形された状態で銃砲又は薬莢などに収容され、その後、銃砲の銃身又は薬莢から解放されることにより、元の形状に復元し、展開部の羽根部材を外方向に展開させるように構成されている。
このように、弾丸の連結部材又は連結部分が板ばね状の復元部材から構成される場合には、弾丸が標的物に衝突した際に、復元部材の弾性変形により弾丸が標的物を貫通してしまうおそれがあるが、鴨などの小鳥類の狩猟の場合には、散弾を用いる場合の命中精度をある程度維持し、かつ調理時や喫食時などの障害及び環境への影響などを低減させることができる。
【００４１】
また、第３実施形態に係る弾丸１´´において、羽根部材２２´´の折り畳まれた部分２６は、炸薬３２´´の炸裂時に生じる熱によって復元し、羽根部材２２´´の折り畳みを解消するように構成されているとしたが、これに限定されず、折り畳まれた部分２６は、銃砲の銃身２からの射出時に、復元力により展開し、折り畳みが解消されるように構成されていれば良く、例えば、弾丸の折り畳まれた部分が、板ばね状の復元部材から構成され、この復元部材が、銃砲からの射出時に銃砲又は薬莢から解放されることにより展開し、折り畳みが解消されるように構成されているとしても良い。
【００４２】
また、第１乃至第３実施形態に係る弾丸１、１´、１´´は、銃に使用される銃弾であるとしたが、これに限定されず、ミサイルや防御砲弾など、砲に使用される砲弾であるとしても良い。
【００４３】
さらに、第１乃至第３実施形態に係る弾丸１、１´、１´´は、薬莢３０、３０´´を備えるとしたが、これに限定されず、薬莢を備えないとしても良い。
【符号の説明】
【００４４】
１  弾丸、１０  弾頭部、２０  展開部、２２  羽根部材、２４  連結部材、３０  薬莢、３２  炸薬
【図１】
0005645111.tif 000002
【図２】
0005645111.tif 000003
【図３】
0005645111.tif 000004
【図４】
0005645111.tif 000005
【図５】
0005645111.tif 000006
【図６】
0005645111.tif 000007
【図７】
0005645111.tif 000008